(57)【要約】【課題】送受切替え信号の入力端と、ローカル信号入力端と、ベースバンド信号入力端と送信ミキサ出力端を備え、ベースバンド信号とローカル信号を掛け算して出力する送信ミキサ回路において、受信時に、送信ミキサ回路が動作停止していても、掛け算器上段のトランジスタのベース−コレクタ間の寄生容量によって、ローカルリークが発生し、他の受信機に対する妨害となり、また自分自身の受信回路に対する妨害成分となり感度劣化等を引き起こす。【解決手段】送信ミキサ回路の掛け算器部分の負荷がＬＣ同調回路で構成されており、送受切替え信号を受けて、ミキサ回路を受信時に動作停止させる場合に、ミキサ回路の動作電流を停止させるだけでなく、ミキサ回路負荷のＬＣ同調回路の同調周波数をずらすことによって、受信時のローカルリークの低減を実現する。【選択図】図１
2006262251.tif 000002
【特許請求の範囲】
【請求項１】
送受切替え信号の入力端と、ローカル信号入力端と、ベースバンド信号入力端と送信ミキサ出力端を備え、ベースバンド信号入力端より入力されたベースバンド信号と、ローカル信号入力端より入力されたローカル信号を掛け算して、送信ミキサ出力端より出力する送信ミキサ回路において、前記送信ミキサ回路の掛け算器部分の負荷がＬＣ同調回路で構成されており、送受切替え信号を受けて、前記ミキサ回路を受信時に動作停止させる場合に、ミキサ回路の動作電流を停止させるだけでなく、ミキサ回路負荷のＬＣ同調回路の同調周波数をずらすことによって、受信時のローカルリークの低減を実現する送信ミキサ回路。
【請求項２】
請求項１の送信ミキサ回路と、送信バースバンド信号発生器、ローカル信号発生器、送受切替え信号発生器、パワーアンプ、ＬＮＡ、受信ミキサ回路、受信ベースバンド信号復調器を備えた送受信機。
【発明の詳細な説明】
【技術分野】
【０００１】
本発明は、無線機器の送信部に使用する送信ミキサ回路、及び送信ミキサ回路を備えた送受信機に関する。
【背景技術】
【０００２】
以下に従来の送信ミキサ回路について説明する。
【０００３】
図２は一般的な送受信機の構成図である。図２において、４０は送信ベースバンド信号発生器、４１は送信ミキサ回路、４２はローカル信号発生器、４３は送受切り替え信号発生器、４４はパワーアンプ（ＰＡ）、４５は送信出力端、４６は受信入力端、４７は受信ローノイズアンプ（ＬＮＡ）、４８は受信ミキサ回路、４９は受信ベースバンド信号復調器、５０は送受信機である。
【０００４】
以上のように構成された、送受信機の動作について以下に説明する。送信ベースバンド信号発生器４０からのベースバンド信号とローカル信号発生器４２からのローカル信号が、送信ミキサ回路４１に入力され、送信ミキサ回路で掛け算された後、ＰＡ４４で増幅され、送信出力端４５より出力される。また、受信入力端４６から入力された受信信号はＬＮＡ４７で増幅され、受信ミキサ回路４８でローカル信号と掛け算された後、受信ベースバンド信号復調器４９で復調される。送受切り替え信号発生器４３は、送信時には、ＬＮＡ４７と受信ミキサ回路４８を動作停止させ、また受信時には、送信ミキサ回路４１とパワーアンプ４４を動作停止させることによって、送受信機としての消費電流削減を図り、また受信時に受信回路に対して妨害となる送信回路からのローカルリークを抑えることが可能である。
【０００５】
図３は従来の送信ミキサ回路の一例である。図３において、６１は送受切り替え信号入力端、６２はスイッチ用トランジスタ、６３は送信ミキサ回路の動作電流を決定する電流源である。６４、６６のトランジスタと６５、６７の抵抗とでミラー回路を構成している。６８、７０、７２、７３、７４、７５のトランジスタと６９、７１の抵抗とで掛け算器を構成しており、８０、８１のコンデンサと８２、８３のインダクタとで構成され、送信周波数に同調された同調回路がミキサの負荷となる。７６、７７は送信ベースバンド信号入力端、７８、７９はローカル信号入力端、８５、８６はミキサ出力端、８４は電源端である。
【０００６】
以上のように構成された送信ミキサ回路において、送信時にはスイッチ用トランジスタ６２がオフしミキサ回路は動作するが、受信時にはスイッチ用トランジスタ６２がオンすることにより、ミキサ回路の掛け算器部分に動作電流が流れず、ミキサ回路は動作停止する。これにより、ミキサ出力端８５、８６への、受信時のローカルリークを抑えている。
【０００７】
なお、この出願の発明に関連する先行技術文献情報としては、例えば、特許文献１が知られている。
【特許文献１】特開昭５７−７６１７号公報
【発明の開示】
【発明が解決しようとする課題】
【０００８】
しかしながら、上記従来の送信ミキサ回路では、掛け算器部分の電流が流れず動作停止していても、掛け算器上段のトランジスタ７２、７３、７４、７５のベース−コレクタ間の寄生容量によって、７８、７９のローカル信号入力端から入力したローカル信号が、８５、８６のミキサ出力端に現れる。このもれ成分が、図２に示す送受信器において、動作停止状態のＰＡ４４を通じたリークとして、送信出力端４５に現れ、他の受信機に対する妨害となり、また自分自身の受信回路に対する妨害成分となり感度劣化等を引き起こす。また、送受信器を集積回路化した場合には、ミキサ出力端より、基板容量等を経由して、直接自分自身の受信回路に対する妨害となり得る。
【０００９】
本発明は、上記従来の課題を解決するものであり、受信時のローカルリークを十分に低いレベルとし、他の送受信機、または自分自身の受信回路に対する妨害を低減可能な送信ミキサ回路を提供することを目的とする。
【課題を解決するための手段】
【００１０】
上記の目的を達成するために、本発明の送信ミキサ回路は、受信時に送信ミキサ回路の掛け算器部分の動作電流を停止するだけでなく、掛け算器の負荷回路を構成するＬＣ同調回路の同調周波数をずらす機能を付加する。
【発明の効果】
【００１１】
本発明の送信ミキサ回路を用いることによって、受信時のローカルリークを十分に低いレベルとすることができるため、他の送受信機に対する妨害を低減でき、また自分自身の受信回路に対する感度劣化等の影響を低減することができるため、送受信機としての特性を向上できる。
【発明を実施するための最良の形態】
【００１２】
以下、図面を参照して、本発明の一実施形態に係る送信ミキサ回路を説明する。
【００１３】
図１に本発明の一実施形態に係る送信ミキサ回路の構成を示す。
【００１４】
図１において、１は送受切り替え信号入力端、２はスイッチ用トランジスタ、３は送信ミキサ回路の動作電流を決定する電流源である。４、６のトランジスタと５、７の抵抗とでミラー回路を構成している。８、１０、１２、１３、１４、１５のトランジスタと９、１１の抵抗とで掛け算器を構成しており、以上は、図３に示す従来例と同様である。３２は同調周波数切替え部であり、２７、２９のコンデンサと２８、３０の抵抗と３１のスイッチ用トランジスタで構成されている。前記同調周波数切替え部３２と、２０、２１のコンデンサと２２、２３のインダクタとで掛け算器の負荷を構成している。１６、１７は送信ベースバンド信号入力端、１８、１９はローカル信号入力端、２５、２６はミキサ出力端、２４は電源端である。
【００１５】
以上のように構成された送信ミキサ回路において、以下その動作を説明する。
【００１６】
送信時にはスイッチ用トランジスタ２がオフしミキサ回路の掛け算器部分に動作電流が流れるとともに、スイッチ用トランジスタ３１がオフし、掛け算器負荷部分の同調周波数はコンデンサ２０、２１とインダクタ２２、２３とで決まり、この同調周波数は送信周波数に合わせておく。一方、受信時にはスイッチ用トランジスタ２がオンすることにより、ミキサ回路の掛け算器部分に動作電流が流れず、ミキサ回路は動作停止し、さらにスイッチ用トランジスタ３１がオンすることにより、コンデンサ２０、２１と並列にコンデンサ２７、２９が挿入されるため、同調周波数が送信周波数からずれることとなり、送信周波数帯域でのゲインが下がる。
【００１７】
このため、１８、１９のローカル信号入力端から入力したローカル信号が、掛け算器上段のトランジスタ１２、１３、１４、１５のベース−コレクタ間の寄生容量によって、２５、２６のミキサ出力端に現れるローカルリークを十分に低い値に低減することが可能となる。
【００１８】
本実施形態では、受信時にスイッチ用トランジスタ３１がオンし、コンデンサ２７、２９が有効になる構成としたが、送信時にトランジスタ３１がオンし、コンデンサ２７、２９が有効になる構成とすることも可能であり、その場合はコンデンサ２０、２１、２７、２９とインダクタ２２、２３から決まる同調周波数を送信周波数に合わせることになる。
【００１９】
以上に示すように、本実施形態に係る送信ミキサ回路によれば、受信時のローカルリークを十分に低いレベルとすることができるため、他の送受信機に対する妨害を低減でき、また自分自身の受信回路に対する感度劣化等の影響を低減することができるため、送受信機としての特性を向上できる。
【産業上の利用可能性】
【００２０】
本発明に係る送信ミキサ回路は、ミキサ出力端における受信時のローカルリークを低減できるため、無線通信システムにおける送受信器として使用した場合、他の受信機に対する妨害の少ない、また自分自身の受信器に対する感度劣化等の妨害も低減可能な、送受信機を提供できる。
【図面の簡単な説明】
【００２１】
【図１】本発明の実施形態における送信ミキサ回路の構成を示す回路図
【図２】送信ミキサ回路を含む送受信機の構成を示すブロック図
【図３】従来の送信ミキサ回路の構成を示す回路図
【符号の説明】
【００２２】
１、６１  送受切り替え信号入力端
２、３１、６２  スイッチ用トランジスタ
３、６３  電流源
４、６、８、１０、１２、１３、１４、１５  トランジスタ
６４、６６、６８、７０、７２、７３、７４、７５  トランジスタ
５、７、９、１１、２８、３０、６５、６７、６９、７１  抵抗
１６、１７、７６、７７  送信ベースバンド信号入力端
１８、１９、７８、７９  ローカル信号入力端
２０、２１、２７、２９、８０、８１  コンデンサ
２２、２３、８２、８３  インダクタ
２４、８４  電源端
２５、２６、８５、８６  ミキサ出力端
３２  同調周波数切替え部
４０  送信ベースバンド信号発生器
４１  送信ミキサ回路
４２  ローカル信号発生器
４３  送受切り替え信号発生器
４４  パワーアンプ（ＰＡ）
４５  送信出力端
４６  受信入力端
４７  受信ローノイズアンプ（ＬＮＡ）
４８  受信ミキサ回路
４９  受信ベースバンド信号復調器
５０  送受信機
【図１】
2006262251.tif 000003
【図２】
2006262251.tif 000004
【図３】
2006262251.tif 000005